(57)【特許請求の範囲】
【請求項１】
3つのコミテータ片25を、隙間を介在させて等間隔にコミテータ芯28に固定し、コミテータ芯28の中央の孔にはシャフト9先端部が嵌着して固定され、扇状の極性の違う2つの磁石部間の隙間を樹脂で固めるか嵌着した円形のS3ABC壱マグネット部l,及び当該S3ABC壱マグネット部lと同じ構成である円形のS3ABC弐マグネット部2を有し、前記S3ABC弐マグネット部2は前記S3ABC壱マグネット部lに対し磁極を逆向きに軸方向に対向して配置され、前記両マグネット部は円筒形のモーターケース21に嵌着して固定されるとともに、前記両マグネット部の孔には、回転可能にシャフト9が通され、また前記両マグネット部の間には、S3ABCコイル部3が配置されており、該S3ABCコイル部3は、2つの扇状先端部の中心を軸でつないだ構成の電磁鋼製軸型3ABCモーターコイル軸5にコイルが巻かれたS3ABCコイル巻き軸6を3つ備えており、該3つのS3ABCコイル巻き軸6は絶縁体部S3ABC磁極コア固定部管4を中心に結束固定されており、前記3ABCコイル部3の中心の孔にはシャフト9の中央部が固定され、また前記円筒形のモーターケース21の一端側には、シャフト9が通されるシャフト孔32を備えたシャフト孔付き蓋31が固定されるとともに、他端側には、接続端子29を備えた端子付き蓋30が固定され、前記S3ABC壱マグネット部lと端子付き蓋30との間の位置であるモーターケース21の上部内側2箇所には、それぞれコミテータ片25と接触するカーボンブラシ23と、ブラシアーム27と、ブラシ用板バネ26と、ブラシ板バネ固定24とが順番に固定されるとともに、当該カーボンブラシ23と前記接続端子29とが結線されている縦直列配置型の多目的軸型3ABCモータ。
【発明の詳細な説明】
【技術分野】
【０００１】
本考案は、機械部品からあらゆる工具や家電製品又は文具用品に至る部品の多目的軸型3 ABCモータに関するものである。
【背景技術】
【０００２】
従来のモータは、図５の様にシャフト35に対して横方向の並列配置で、順番言うと、シャフト35と、巻線を含む磁極コア38と、非接触のための空間と、磁石37と、モーターケース36が左右対称に設けられ、これがサイズを決め、シャフト35末端にコミテータを配置した構造である。
【先行技術文献】
【特許文献】
【０００３】
【特許文献１】なし
【非特許文献】
【０００４】
【非特許文献１】なし
【発明の概要】
【発明が解決しようとする課題】
【０００５】
従来のモータはパワー向上が課題で、構造の変化は殆ど見られなく、小型化するには磁石部37の形状を弧状にしなければならず限界もあり、用途しだいでは使えない場合もあった。
【課題を解決するための手段】
【０００６】
そのため請求項１記載の発明の多目的軸型３ABCモータ22は、3つのコミテータ片25を、隙間を介在させて等間隔にコミテータ芯28に固定し、コミテータ芯28の中央の孔にはシャフト9先端部が嵌着して固定され、扇状の極性の違う2つの磁石部間の隙間を樹脂で固めるか嵌着した円形のS3ABC壱マグネット部l,及び当該S3ABC壱マグネット部lと同じ構成である円形のS3ABC弐マグネット部2を有し、前記S3ABC弐マグネット部2は前記S3ABC壱マグネット部lに対し磁極を逆向きに軸方向に対向して配置され、前記両マグネット部は円筒形のモーターケース21に嵌着して固定されるとともに、前記両マグネット部の孔には、回転可能にシャフト9が通され、また前記両マグネット部の間には、S3ABCコイル部3が配置されており、該S3ABCコイル部3は、2つの扇状先端部の中心を軸でつないだ構成の電磁鋼製軸型3ABCモーターコイル軸5にコイルが巻かれたS3ABCコイル巻き軸6を3つ備えており、該3つのS3ABCコイル巻き軸6は絶縁体部S3ABC磁極コア固定部管4を中心に結束固定されており、前記3ABCコイル部3の中心の孔にはシャフト9の中央部が固定され、また前記円筒形のモーターケース21の一端側には、シャフト9が通されるシャフト孔32を備えたシャフト孔付き蓋31が固定されるとともに、他端側には、接続端子29を備えた端子付き蓋30が固定され、前記S3ABC壱マグネット部lと端子付き蓋30との間の位置であるモーターケース21の上部内側2箇所には、それぞれコミテータ片25と接触するカーボンブラシ23と、ブラシアーム27と、ブラシ用板バネ26と、ブラシ板バネ固定24とが順番に固定されるとともに、当該カーボンブラシ23と前記接続端子29とが結線されている縦直列配置型を特徴とする。
【発明の効果】
【０００７】
そこで構造を変えることで、磁石部の加工が容易で、加工機械も簡素化が期待され、
最終的にはコストも安くサイズの形状に自由性を持たせられる。
【図面の簡単な説明】
【０００８】
【図１】軸型３ABCモータの使用例のマドラータイプ攪拌器斜視図
【図２】軸型３ABCモータの使用例のマドラータイプ攪拌器断面図
【図３】軸型３ABCモータの部品６面図
【図４】軸型３ABCモータの組み立て図
【図５】従来のモータ図
【発明を実施するための形態】
【０００９】
以下、本発明の実施の形態を、添付図面に示した本発明の一実施例に基づいて説明する。
まず磁石1・２の構造は、両端に極性の違う扇状の磁石部を設け、その隙間を樹脂で固めたS1ASC壱マグネット部1と、極性の向きを変えて配置するS3ABC弐マグネット部２からなる部品。
【００１０】
磁極コアの構造は、扇状の先端部を両端に、その中心を軸でつないだ電磁鋼製のS3ABCコイル部軸5にコイルを巻いたのがS3ABCコイル巻き軸部6で、これを３本とS3ABCコイル部管4を中心に結束したS3ABCコイル部3。
【００１１】
ローター部構造はシャフト9上部に、外周にコミテータ片を３枚等間隔に隙間をあけて接続したコミテータ芯28の中央の孔に固定した部分と、シャフト9の中間位置に上記のS3ABCコイル部3を嵌着して固定した部分。
【００１２】
本体構造は円筒形の多目的軸型３ABCモーターケース21底部に、
シャフト孔32の穴の開いたシャフト孔付き蓋31と、その隣にS3ABC弐マグネット部2と、S3ABCコイル部3の格納スペースをあけ、その隣に
S3ABC壱マグネット部1と、その上にカーボンブラシ23・ブラシアーム27・ブラシ用板バネ26・ブラシ板バネ固定24からなる部分と、最上部の天板となる接続端子29が２つ付いた円盤状の端子付き蓋30、これら全てを多目的軸型３ABCモーターケース21に嵌着して固定し、接続端子29とカーボンブラシ23を結線したもの。
【００１３】
図１・２は使用例で、別考案の用途別蓋付き攪拌器に使用するマドラータイプ攪拌器構造は、電池10のプラス極に金具が多目的軸型３ABCモータ２２の左の接続端子29の位置に固定した部分と、電池10のマイナス極に金具がスイッチ16のスライド移動にかかわらず接触通電状態と、スイッチ16反対側が右の接続端子29には、スライド移動により接触できる構造を円筒形のケースに内装したB3ABCモータ電池ボックス
20と、反対側のシャフト9先端部に別考案の接続ギアと、マドラー先端部交換式スプーン８設けたもので、ミキサーやジューサーほどのパワーは無いが軽くかき混ぜるのに最適で小型の攪拌器に使用される。
【産業上の利用可能性】
【００１４】
本発明に係る攪拌器だけでなく、多目的軸型１ASCモータとして、大きい物では機械の部品や小さいものでは文具品に至るまで幅広く部品として利用可能性を有する。
【符号の説明】
【００１５】
1軸型３ABCモータの壱マグネット部（S3ABC壱マグネット部）2軸型３ABCモータの弐マグネット部（S3ABC弐マグネット部）3軸型３ABCモーターコイル部（S3ABCコイル部）4絶縁体部軸型３ABCモーターコイル固定部管（絶縁体部S3ABC磁極コア固定部管）5電磁鋼製の軸型３ABCモーターコイル軸（S3ABC磁極コア軸）6軸型３ABCモーターコイル巻き軸（S3ABCコイル巻き軸）7軸型３ABCモーターコイル部軸（S3ABC磁極コア部軸）8マドラー先端部交換式スプーン9軸型３ABCモータ用シャフト10電池11軸型３ABCモータ内蔵折りたたみ式マドラータイプ攪拌器12軸型３ABCモータのコイル（巻線）部から接続金具（コミテータ）までの配線図13接触ヘッド（カーボンブラシ）14コイル（巻線）15接触金具（コミテータ片）16スイッチ17軸型３ABCモータ内蔵折りたたみ式マドラータイプの攪拌器18軸型３ABCモータ内蔵折りたたみ式マドラータイプ攪拌器の駆動部（S3ABC稼動部）19 S3ABC磁極コア部固定管20軸型３ABCモータ内臓折りたたみ式マドラータイプ攪拌器本体上部（B3ABCモータ電池ボックス）21多目的軸型３ABCモーターケース22多目的軸型３ABCモータ23接触ヘッド（カーボンブラシ）24ブラシ板バネ固定25コミテータ片26ブラシ用板バネ27接続金具アーム（ブラシアーム）28コミテータ芯29金具（接続端子）30端子付き蓋31シャフト孔付き蓋32シャフト孔33軸型３ABCモータのコミテータ34従来のモータ35シャフト36モーターケース37磁石38磁極コア39コミテータ40接続ギア
【要約】      （修正有）【課題】磁石部の加工が容易で、加工機械も簡素化が期待され、低コストで、形状に自由性を持たせられるモータを提供する。【解決手段】扇状の磁石を組み合わせた平板状の磁石１，２をシャフト９の上下端近傍に配置し、シャフト９に固定されたコイル部３を磁石１、２の間に配置し、磁石１を貫通したシャフト９の上部にコミテータ３９を配置する。【選択図】図４【図１】
0005406390.tif 000002
【図２】
0005406390.tif 000003
【図３】
0005406390.tif 000004
【図４】
0005406390.tif 000005
【図５】
0005406390.tif 000006